(57)【要約】【課題】  隆鼻術に用いる新型なインプラント、インプラント・イガタ及びインプラント形を作るナイフ及びその他のアクセサリーを提供すること。【解決手段】  インプラントは鼻背インプラント、鼻尖インプラントと鼻柱インプラントを備え、三者がそれぞれ独立な単体になる。インプラント・イガタは鼻背インプラント・イガタと、鼻尖インプラント・イガタと鼻穴ラツクとを備え、ナイフはインプラント・イガタを雕刻する道具である。鼻尖インプラントが鼻翼の形に沿い、生理学に合って、自然にノースアップし、合併症のリスクを最小限に抑える。鼻柱インプラントは鼻筋を伸ばし、鼻尖を挙上させ、左右に広がった鼻穴の横幅を縮小し、特にダンゴ鼻に有効である。まず、あらかじめインプラント・イガタを用いてモデルを作り、そしてモデルに基づいてインプラントを彫刻し、最後に整形手術によって患者に一新な効果を感じさせる。【選択図】  図１
0003111348.tif 000002
【実用新案登録請求の範囲】
【請求項１】
鼻背インプラント（１）と、鼻尖インプラント（２）及び鼻柱インプラント（３）とを含み、三者がそれぞれ独立な単体になる隆鼻術のインプラントであって、上記鼻背インプラント（１）は柳の葉の形をとり、上の部分がややはねあがり、上記鼻尖インプラント（２）は鼻翼部分のでこぼこに沿い、両側が外へ突き出し、中間部が内へ凹み、上記鼻柱インプラント（３）は長方形の形をとり、先の終点にカーブとなり、後１／４のところが内ヘアーチとなり、そしてアーチの長さが鼻柱インプラント（３）幅の１／３となる、隆鼻術のインプラント。
【請求項２】
鼻背インプラント・イガタ（４）と、鼻尖インプラント・イガタ（５）と鼻穴ラック（６）の三種類を有するインプラント・イガタであって、上記鼻背、鼻尖インプラント・イガタ（４，６）の構造と形が鼻背、鼻尖インプラント（１，２）と一致し、上記鼻ラック（６）の場合は穴が二つのたまご形の筒である、インプラント・イガタ。
【請求項３】
インプラントに用いる雕刻ナイフ（７）であって、上記彫刻刀（７）の片方の先が尖っており、片方が丸くなっている（１０）、丸刃（１０）とハンドル（９）、ハンドル（９）と尖った刃（７）の間にシャフト（８）で繋がることを特徴とするインプラントに用いる彫刻ナイフ。
【請求項４】
上記鼻尖インプラントにおける鼻尖インプラントの特徴は鼻先のところで下へ９０〜１２０°曲がることを特徴とする請求項１記載のインプラント。
【請求項５】
鼻柱インプラント（３）のセンターにシリコンゴムのラック（１１）があり、シリコンラック（１１）の両側にソフトテフロン（登録商標）（１２）を貼り付けてあることを特徴とする請求項１記載のインプラント。
【考案の詳細な説明】
【技術分野】
【０００１】
本考案は隆鼻術におけるインプラントに関し、具体的にいえば隆鼻術用インプラント、インプラント・イガタ及びその形を整うナイフである。
【背景技術】
【０００２】
顔面整形における隆鼻術をいえば現在ポピュラーになる整形外科手術である。これまで伝統的な隆鼻術に使うものは鼻尖と鼻背が一体となるインプラントで、その形が柳の葉かＬ字で、構造的に人体の生理学とギャツプがある。それに理想的な形造り方法が欠いていて、手術後の効果が不自然でありながら、おまけに合併症も多く発生する。生理状態における鼻尖と鼻背が一体となってなく、間に軟部組織及び靱帯で繋がることになる。そして、一体タイプのインプラントが鼻尖に押えられるとインプラントが下へ動くので、鼻尖の組織が薄くなったり、インプラントが洩れ出したりすることもあり得る。
【０００３】
ほとんどの東洋人の鼻尖は低く平らであり、その原因は鼻筋が短すぎて、低すぎる。西洋人の鼻に持つ立体感、跳ね上がる美感が欠いている。
【０００４】
隆鼻術におけるもう一つよくある問題は患者の鼻から離れた場所でインプラントを雕刻するため、精確にインプラントを仕上げることが非常に難しい。他には、従来、隆鼻術に用いるインプラントの材質をいえば、医用シリコンゴムかソフトテフロン（登録商標）製品になる。ソフトテフロン（登録商標）の場合は材質が柔らかいため、組織との親和力は良いが、一方支えるコシが弱いので、形に整え難い欠点を持つ。
【０００５】
シリコンゴムの場合は逆で、力は強いが組織との親和力がどうしても足りないのである。もし、可塑性のある材料を用いてあらかじめインプラントのモデルを作って、更にインプラント・モデルに基づいてインプラントの形を雕刻すれば、十分に精確なインプラントが作り上げられるのである。
【０００６】
その上、うまくソフトテフロン（登録商標）やシリコンゴムのメリットを利用して最適な的鼻柱インプラントをデザインして隆鼻術を行えば、完璧な立派な鼻が得られる。
【０００７】
このように可塑性材料を用いて鼻インプラントのモデルを作る方法及びそれに合わせる可塑性材料、鼻柱インプラントに関するノウハウについては、これまでの隆鼻術に関する資料や報道が全くなく、まだ実際に使用されていないと認識する。
【考案の開示】
【考案が解決しようとする課題】
【０００８】
本考案の目的は、上記問題を解決するためにある隆鼻術用インプラント、インプラント・イガタ及びナイフを提供することにある。
【課題を解決するための手段】
【０００９】
本考案は、インプラント、インプラント・イガタ及びナイフがセットものであり、組み合わせて使用することになる。要するに可塑性材料を用いて鼻のインプラント・モデルを作る方法によって、隆鼻術におけるシミュレーション、雕刻、成形のプログレスがスムーズになり、整形の効果がより自然的、完璧になる。
【００１０】
手術によってインプラントを鼻の組織に移植し、求める鼻の形を作りたてる。本考案というインプラントは鼻背インプラントと、鼻尖インプラントと、鼻柱インプラントとを含み、三者が独立な単体である。鼻背インプラントは柳の葉の形をして、上の部分がやや跳ね上がる。鼻尖インプラントは鼻翼で双子葉の形をして、外側が外へ膨らませ、内側がセンターヘヘこみ、鼻先のところ下へ曲がる。鼻柱インプラントは長方形の形をして、先の終点にカーブとなり、後１／４のところが内ヘアーチとなり、そしてアーチの長さが鼻柱インプラント幅の１／３となる。このアーチの格好がちょうど鼻柱先のカーブにあって、鼻柱インプラントを安定させるうえ、更に支える力を高める。鼻柱インプラントが鼻柱の前下におかれ、鼻翼の軟骨を支えて、鼻穴の形を卵のような楕円形にして、鼻尖が下前へ立つようにさせるのである。
【００１１】
インプラント・イガタというのはインプラントを雕刻する見本である。鼻背インプラント・イガタと、鼻尖インプラント・イガタと鼻穴ラックとを含む。鼻背、鼻尖インプラント・イガタの構造、形、サイズは、鼻背と、鼻尖インプラントと一致する。鼻穴ラックは二つの形一緒な卵形の筒であり、鼻柱インプラント移植後鼻穴と鼻先の形をまねするために用いる。
【００１２】
ナイフはインプラントを雕刻することに使う道具である。片方の先が尖っていて、片方が丸くなっている。丸刃とハンドル、ハンドルと尖った刃の間にシャフトで繋がる。
【００１３】
インプラントとインプラント・イガタの形が対応しており、患者の性別や鼻の大きさに応じて大、中、小と三つのサイズに分かれる。
【００１４】
鼻柱インプラントには、「単純型」と「複合型」二種類がある。「単純型」の材質は医用シリコンゴムで、「複合型」の材質は中身がシリコンラックで表にはソフトテフロン（登録商標）をコーティングして、コシが持つうえ組織に親和力も備えて、完全的に軟骨の代わりに使える。
【００１５】
インプラント・イガタはソフトテフロン（登録商標）とシリコンゴム二種類があり、インプラント材料は塑形用粘土を用いて形をとる。
【００１６】
インプラントと、インプラント・イガタと、ナイフとはセットにしてケースに収め、材質がテフロン（登録商標）或いはシリコンゴムの二種類に分かれる。
【００１７】
使用する際に、まず鼻穴ラックを取り出して、両側の鼻穴においてみて、鼻柱インプラントを入れた後の効果をチェックする。そして鼻背と鼻尖のイガタを鼻のそばにおいて、ナイフを用いて雕塑し、納得のいくまでインプラント・モデルを修正し、ドライヤーで干す。最後には、インプラント・モデルに照準してインプラントを雕刻する。それで得たシリコンゴム或いはソフトテフロン（登録商標）製の鼻背、鼻尖インプラントが実物の状態と非常に近いので、便利で精確になる。理想的なインプラントを得てからパーシャル式隆鼻術に用いる。
【００１８】
本考案の利点と積極的な効果について、下記の通りになる。
１．インプラント鼻背、鼻尖と鼻柱がそれぞれ三つの単体で独立構造であるため、人体の生理学にぴったり合っていて、鼻尖インプラントのでこぼこの形が鼻翼を立派に生まれかわさせる。そして、合併症の恐れを抑える。
２．鼻柱インプラントを使用することによって、鼻筋を延長し、鼻尖を下前へはねさせ、鼻穴が平らの形から卵のような楕円形に変身し、ダンゴ鼻の訂正に極めて有効である。
３．インプラント・イガタに基づいてモデルを作り、そしてモデルを見ながらインプラントを雕刻することが可能になるので、便利尚且つ精確に形が取れて、患者が手術の効果を直感できる。
【考案を実施するための最良の形態】
【００１９】
（具体の実施形態）
図１は本考案に係る鼻背インプラントの構成を示す概略図で、図２はその側面図である。図に示すように、鼻背インプラント（１）は柳の葉の形で、上の幅が１０〜１２ｍｍ、下の幅が８〜１０ｍｍ、長さが４５〜５５ｍｍである。上部が下へ曲がり、本体の厚さが５〜６ｍｍである。
【００２０】
図３は本考案に係る鼻尖インプラントの構成を示す概略図で、図４はその側面図である。図に示すように、鼻尖インプラント（２）が鼻尖の部分ででこぼこな双子葉の形で、外側が外へ膨らみ、内側がセンターへへこみ、本体の厚さが５〜７ｍｍ、双子葉の総幅が１２〜１４ｍｍ、長さが１０〜１２ｍｍ、鼻柱のところの長さが５ｍｍ、幅が４ｍｍ、下へ９０〜１２０°曲がる。
【００２１】
図５は本考案に係る鼻柱インプラントの構成を示す概略図で、図６はその断面図である。図に示すように、鼻柱インブラント（３）の長さが２５ｍｍ、上部の幅が１０〜１２ｍｍ、下の幅が７〜９ｍｍ、厚さが１〜１．５ｍｍ、先の終点にカーブとなり、後１／４のところにアーチの形をして、長さが鼻柱インプラント（３）幅の１／３とする。
【００２２】
図７は本考案に係る鼻背インプラント・イガタの構成を示す概略図で、鼻背インプラント・イガタ（４）の形とサイズは鼻背インプラント（１）と一致して、柳の葉の形で、上の幅が１０〜１２ｍｍ、下の幅が８〜１０ｍｍ、長さが４５〜５５ｍｍ、上部が上へ跳ねて、本体の厚さが５〜６ｍｍである。
【００２３】
図８は本考案に係る鼻尖インプラント・イガタの構成を示す概略図で、鼻尖インプラント・イガタ（５）の形とサイズが鼻尖インプラント（２）と一致して、先が凸凹な双子葉の形で、外側が外へ膨らみ、内側が厚さが５〜７ｍｍ、総幅が１２〜１４ｍｍ、長さが１０〜１２ｍｍ、鼻柱のところの長さが５ｍｍ、幅が４ｍｍ、下へ９０〜１２０度曲がる。
【００２４】
図９は本考案に係る鼻穴ラック・イガタの構成を示す概略図で、鼻穴ラック（６）が二つ形一緒な楕円形筒であり、厚さが0.5ｍｍ、高さと長さが共に７ｍｍである。
【００２５】
図１０は本考案に係るインプラントナイフの構成を示す概略図で、ナイフの総長が１３０ｍｍ、片方が尖った刃（７）で、その反対の端には丸刃（１０）がある。刃の幅が５ｍｍ、厚さが２ｍｍである。丸刃（１０）は直接ハンドル（９）に付け、ハンドル（９）と尖った刃（７）の間にシャフト（８）があり、その長さは２５ｍｍ、直径２ｍｍである。
【００２６】
インプラントはシリコンゴムかソフトテフロン（登録商標）のいずれかにして作り、ソフトテフロン（登録商標）を用いる場合は鼻柱インプラント（３）の中にはシリコン・キール（１１）を使い、シリコン・キール（１１）の両側にソフトテフロン（登録商標）（１２）を貼り付ける。
【００２７】
インプラント、インプラント・イガタが上記寸法の範囲内で三種類のサイズを設け、ナイフと一緒にケースに収める。
【００２８】
使用する際に、まず鼻穴ラックを取り出して、両側の鼻穴においてみて、鼻柱インプラントを入れた後の効果をチェックする。そして鼻背と鼻尖のイガタを鼻のそばにおいて、ナィフを用いて雕塑し、納得のいくまでインプラント・モデルを修正し、ドライヤーで干す。最後にはインプラント・モデルに照準してインプラントを雕刻する。理想的なインプラントを得てからパーシャル式隆鼻術に用いる。手術がパーシャルに行う。まず鼻背インプラント（１）を移植し、次に鼻柱（３）を入れる。最後には鼻尖インプラント（２）を入れて、縫合すれば完了する。
【図面の簡単な説明】
【００２９】
【図１】図１は本考案に係る鼻背インプラントの構成を示す概略図である。
【図２】図２は図１の側面図である。
【図３】図３は本考案に係る鼻尖インプラントの構成を示す概略図である。
【図４】図４は図３の側面図である。
【図５】図５は本考案に係る鼻柱インプラントの構成を示す概略図である。
【図６】図６は図５の側面図である。
【図７】図７は本考案に係る鼻背インプラント・イガタの構成を示す概略図である。
【図８】図８は本考案に係る鼻尖インプラント・イガタの構成を示す概略図である。
【図９】図９は本考案に係る鼻穴ラックの構成を示す慨略図である。
【図１０】図１０は本考案に係るナイフの構成を示す概略図である。
【符号の説明】
【００３０】
１    鼻背インプラント
２    鼻尖インプラント
３    鼻柱インプラント
４    鼻背インプラント・イガタ
５    鼻尖インプラント・イガタ
６    鼻穴ラック
７    尖った刃
８    シャフト
９    ハンドル
１０  丸刃
１１  シリコンラック
１２  テフロン（登録商標）
【図１】
0003111348.tif 000003
【図２】
0003111348.tif 000004
【図３】
0003111348.tif 000005
【図４】
0003111348.tif 000006
【図５】
0003111348.tif 000007
【図６】
0003111348.tif 000008
【図７】
0003111348.tif 000009
【図８】
0003111348.tif 000010
【図９】
0003111348.tif 000011
【図１０】
0003111348.tif 000012